(57)【特許請求の範囲】
【請求項１】
相互に同期した映像信号及び音声信号を出力する情報出力装置と、前記情報出力装置から出力された音声信号が供給されて音声再生を行なう音声再生装置とともに、機器制御信号により相互制御可能に接続されたシステムを構成するもので、前記情報出力装置から出力された映像信号が供給される映像処理装置であって、
映像信号処理に要する時間が変わるような動作モードの変更が要求された場合、前記音声再生装置が、映像信号処理に要する時間を示す情報が記述された機器制御信号の取得に対応しているか否かを判別する判別手段と、
前記判別手段により対応していると判断された場合、要求された動作モードにおける映像信号処理に要する時間を示す情報が記述された機器制御信号を生成する生成手段と、
前記判別手段により対応していないと判断された場合、自己が格納している自己の仕様を示す情報を、要求された動作モードにおける映像信号処理に要する時間を示す情報に変更する変更手段とを具備する映像処理装置。
【請求項２】
前記生成手段で生成した機器制御信号を、前記音声再生装置に音声再生の遅延量を設定させるために、前記機器制御信号の伝送ラインを介して送信する送信手段を具備する請求項１記載の映像処理装置。
【請求項３】
前記システムは、ＨＤＭＩ規格に準拠したデジタル信号伝送を行ない、
前記判別手段は、前記音声再生装置が、映像信号処理に要する時間を示す情報が記述された機器制御信号のＣＥＣラインを介しての取得に対応しているか否かを判別し、
前記生成手段は、映像信号処理に要する時間を示す情報が記述された機器制御信号を、映像信号処理に要する時間を示すLipSync値の記述された、ＣＥＣラインを介して伝送されるコマンドとして生成し、
前記送信手段は、前記コマンドを前記ＣＥＣラインを介して送信する請求項２記載の映像処理装置。
【請求項４】
前記変更手段は、自己の仕様を示す情報としてのＥＤＩＤデータを、要求された動作モードにおける映像信号処理に要する時間を示すデータに変更する請求項１記載の映像処理装置。
【請求項５】
相互に同期した映像信号及び音声信号を出力する情報出力装置と、前記情報出力装置から出力された音声信号が供給されて音声再生を行なう音声再生装置とともに、機器制御信号により相互制御可能に接続されたシステムを構成するもので、前記情報出力装置から出力された映像信号が供給される映像処理装置であって、
映像信号処理に要する時間が変わるような動作モードの変更が要求された場合、前記音声再生装置が、映像信号処理に要する時間を示す情報が記述された機器制御信号の取得に対応しているか否かを判別する判別手段と、
前記判別手段により対応していないと判断された場合、自己が格納している自己の仕様を示す情報を、要求された動作モードにおける映像信号処理に要する時間を示す情報に変更する変更手段とを具備する映像処理装置。
【請求項６】
相互に同期した映像信号及び音声信号を出力する情報出力装置と、前記情報出力装置から出力された音声信号が供給されて音声再生を行なう音声再生装置とともに、機器制御信号により相互制御可能に接続されたシステムを構成するもので、前記情報出力装置から出力された映像信号が供給される映像処理装置が、
映像信号処理に要する時間が変わるような動作モードの変更が要求された場合、前記音声再生装置が、映像信号処理に要する時間を示す情報が記述された機器制御信号の取得に対応しているか否かを判別し、
対応していると判断された場合、要求された動作モードにおける映像信号処理に要する時間を示す情報が記述された機器制御信号を生成し、
前記音声再生装置が機器制御信号の取得に対応していないと判断された場合、前記映像処理装置が格納している仕様を示す情報を、要求された動作モードにおける映像信号処理に要する時間を示す情報に変更する映像処理方法。
【請求項７】
生成した機器制御信号を、前記音声再生装置に音声再生の遅延量を設定させるために、前記機器制御信号の伝送ラインを介して送信する請求項６記載の映像処理方法。
【請求項８】
前記請求項１に記載の前記生成手段で生成した前記機器制御信号を受信する受信手段を備える音声再生装置であって、
前記映像処理装置の映像信号処理に要する時間を示す情報が記述された機器制御信号を受信したか否かを判別する判別手段と、
前記判別手段により受信したと判断された場合、当該受信した機器制御信号に基づいて音声再生の遅延量を設定する設定手段とを具備する音声再生装置。
【請求項９】
前記システムは、ＨＤＭＩ規格に準拠したデジタル信号伝送を行ない、
前記判別手段は、映像信号処理に要する時間を示す情報が記述された機器制御信号を、映像信号処理に要する時間を示すLipSync値の記述された、ＣＥＣラインを介して伝送されるコマンドとして受信したか否かを判別し、
前記設定手段は、前記コマンドに基づいて音声再生の遅延量を設定する請求項８記載の音声再生装置。
【請求項１０】
前記請求項６で生成した前記機器制御信号を受信する音声再生装置が、
前記映像処理装置の映像信号処理に要する時間を示す情報が記述された機器制御信号を受信したか否かを判別し、
受信したと判断された場合、当該受信した機器制御信号に基づいて音声再生の遅延量を設定する音声再生方法。
【発明の詳細な説明】
【技術分野】
【０００１】
この発明の実施の形態は、映像処理装置及び映像処理方法、音声再生装置及び音声再生方法に関する。
【背景技術】
【０００２】
周知のように、デジタル映像信号を伝送するための規格として、ＤＶＩ（digital visual interface）規格が普及している。近年では、このＤＶＩ規格をさらに改良したデジタル信号伝送規格として、ＨＤＭＩ（high definition multimedia interface）規格が採用されるようになってきている。
【０００３】
ＨＤＭＩ規格には、例えば、デジタル映像信号のブランキング期間にデジタル音声信号を多重化して音声伝送を行なうことが可能であること、デジタル映像信号をＲＧＢ信号の形態で伝送する他に、ＹＣｂＣｒ信号の形態またはそれより高画質なＹＰｂＰｒ信号の形態で伝送することが可能であること、ＵＳＢ（universal serial bus）ライクの小型のＨＤＭＩコネクタで伝送することが可能であること等々、ＤＶＩ規格にない種々の規定が盛り込まれている。
【０００４】
また、ＨＤＭＩ規格では、信号の伝送に先立ち、送信側の機器と受信側の機器との間で認証を行なうことにより、送信側の機器が受信側の機器の性能に合わせた形態で信号を出力することができる。すなわち、送信側の機器は、受信側の機器からＥＤＩＤ（extended display identification）データを取得することにより、受信側機器の受信仕様を認識し、それに合わせた形態で信号を出力することができる。
【０００５】
そして、このようなＨＤＭＩ規格に準拠したデジタル信号伝送を利用することにより、例えば光ディスク再生装置等の情報出力装置から相互に同期して出力されるデジタルの映像信号及び音声信号に対し、音声信号を音声再生装置（通称ＡＶアンプと称される）に伝送して音声再生を行ない、映像信号をデジタルテレビジョン放送受信装置に伝送して映像表示を行なうといった使用形態をとることが可能となる。
【０００６】
この場合、音声再生装置は、デジタルテレビジョン放送受信装置内にＥＤＩＤデータとして格納されている映像信号処理に要する時間情報を取得し、当該時間情報で示される時間だけ音声信号を遅延させて音声再生するようにしている。これにより、音声再生装置による再生音声と、デジタルテレビジョン放送受信装置による表示映像とを同期させることができる。
【０００７】
ところで、デジタルテレビジョン放送受信装置には、例えば「標準モード」、「映画モード」、「ゲームモード」等のように、表示する映像の種類に応じた種々の映像表示モードが用意されており、各映像表示モードによって映像信号処理に要する時間が異なっている。しかしながら、ＥＤＩＤデータは、デジタルテレビジョン放送受信装置内に固定値で格納されているため、各映像表示モードに応じた映像信号処理に要する時間を音声再生装置に提供することはできないのが現状である。
【０００８】
なお、デジタルテレビジョン放送受信装置に格納されている、映像信号処理に要する時間を示すＥＤＩＤデータを、映像表示モードが切り替えられるのに対応させて変更することも考えられている。しかしながら、この場合には、ＥＤＩＤデータが変更される毎に、デジタルテレビジョン放送受信装置と音声再生装置との相互間で認証処理をやり直す必要が生じ、その認証処理期間（例えば１０秒程度）は映像が表示されなくなるため、ユーザにとっての取り扱いが不便になっている。
【先行技術文献】
【特許文献】
【０００９】
【特許文献１】特開２００７−２７４４０９号公報
【発明の概要】
【発明が解決しようとする課題】
【００１０】
映像信号処理に要する時間が変更された場合でも、その変更された時間に対応して再生音声を遅延させて表示映像に同期させることができ、ユーザにとっての取り扱いを便利にして実用に十分に適するようにした映像処理装置及び映像処理方法、音声再生装置及び音声再生方法を提供することを目的とする。
【課題を解決するための手段】
【００１１】
実施の形態によれば、映像処理装置は、判別手段と生成手段と変更手段とを具備する。判別手段は、映像信号処理に要する時間が変わるような動作モードの変更が要求された場合、音声再生装置が、映像信号処理に要する時間を示す情報が記述された機器制御信号の取得に対応しているか否かを判別する。生成手段は、判別手段により対応していると判断された場合、要求された動作モードにおける映像信号処理に要する時間を示す情報が記述された機器制御信号を生成する。変更手段は、判別手段により対応していないと判断された場合、自己が格納している自己の仕様を示す情報を、要求された動作モードにおける映像信号処理に要する時間を示す情報に変更する。
【図面の簡単な説明】
【００１２】
【図１】実施の形態における映像音声同期再生システムの一例を概略的に説明するために示すブロック構成図。
【図２】同実施の形態における映像音声同期再生システムを構成する光ディスク再生装置の信号処理系の一例を説明するために示すブロック構成図。
【図３】同実施の形態における映像音声同期再生システムを構成するデジタルテレビジョン放送受信装置の信号処理系の一例を説明するために示すブロック構成図。
【図４】同実施の形態における映像音声同期再生システムを構成する音声再生装置の信号処理系の一例を説明するために示すブロック構成図。
【図５】同実施の形態におけるデジタルテレビジョン放送受信装置が行なう主要な処理動作の一例を説明するために示すフローチャート。
【図６】同実施の形態における音声再生装置が行なう主要な処理動作の一例を説明するために示すフローチャート。
【図７】同実施の形態における音声再生装置が行なう主要な処理動作の他の例を説明するために示すフローチャート。
【図８】同実施の形態におけるデジタルテレビジョン放送受信装置が行なう主要な処理動作の他の例を説明するために示すフローチャート。
【発明を実施するための形態】
【００１３】
以下、実施の形態について図面を参照して詳細に説明する。図１は、この実施の形態で説明する映像音声同期再生システムの一例を概略的に示している。すなわち、この映像音声同期再生システムは、例えばＤＶＤ（digital versatile disk）プレーヤ等の情報出力装置である光ディスク再生装置１１と、ＡＶアンプ等の音声再生装置１２と、映像処理装置であるデジタルテレビジョン放送受信装置１３とから構成されている。
【００１４】
このうち、光ディスク再生装置１１と音声再生装置１２とは、ＨＤＭＩケーブル１４によってＨＤＭＩ規格に準拠したデジタル信号伝送可能に接続されている。また、音声再生装置１２とデジタルテレビジョン放送受信装置１３とは、ＨＤＭＩケーブル１５によってＨＤＭＩ規格に準拠したデジタル信号伝送可能に接続されている。
【００１５】
これらのＨＤＭＩケーブル１４及び１５は、標準タイプで通常１０数本のラインを備えているが、以下では、この実施の形態を説明する上で必要となるライン、つまり、映像ライン１４ａ及び１５ａと、音声ライン１４ｂ及び１５ｂと、ＣＥＣ（consumer electronics control）ライン１４ｃ及び１５ｃとについて説明する。
【００１６】
まず、光ディスク再生装置１１で再生されたデジタルの映像信号は、ＨＤＭＩケーブル１４の映像ライン１４ａ、音声再生装置１２及びＨＤＭＩケーブル１５の映像ライン１５ａを介してデジタルテレビジョン放送受信装置１３に供給され、映像表示に供される。
【００１７】
また、光ディスク再生装置１１で再生されたデジタルの音声信号は、ＨＤＭＩケーブル１４の音声ライン１４ｂを介して音声再生装置１２に供給され、一対のスピーカ１６ａ及び１６ｂによる音声再生に供される。
【００１８】
さらに、上記ＨＤＭＩケーブル１４及び１５のＣＥＣライン１４ｃ及び１５ｃは、ＨＤＭＩ規格で規定されている制御プロトコルに基づいた機器制御信号の伝送を司るラインである。すなわち、光ディスク再生装置１１、音声再生装置１２及びデジタルテレビジョン放送受信装置１３は、ＣＥＣライン１４ｃ及び１５ｃを介して機器制御信号を送信することにより、相互に相手方の装置を所定の動作状態または停止状態に制御することが可能である。
【００１９】
ここで、デジタルテレビジョン放送受信装置１３は、自己の映像信号処理に要する時間を示す情報、つまり、音声再生装置１２による再生音声を自己の表示映像に同期させるための情報であるLipSync値を、ＣＥＣライン１５ｃを介して音声再生装置１２に供給するようにしている。
【００２０】
すなわち、デジタルテレビジョン放送受信装置１３は、機器制御信号で規定されている〈Vender Command〉として例えば〈Set LipSync time〉［300ms］なる遅延量設定コマンドを、ＣＥＣライン１５ｃを介して音声再生装置１２に伝送する。この遅延量設定コマンドは、音声再生装置１２に対して、LipSync値、つまり、音声信号の遅延量を３００ｍｓに設定することを要求する内容である。
【００２１】
要するに、デジタルテレビジョン放送受信装置１３には、例えば「標準モード」、「映画モード」、「ゲームモード」等のように、表示する映像の種類に応じた種々の映像表示モードが用意されており、各映像表示モードによって映像信号処理に要する時間が異なっている。このため、デジタルテレビジョン放送受信装置１３では、設定されている映像表示モードに応じた映像信号処理時間を［  ］内に記述した遅延量設定コマンドを、ＣＥＣライン１５ｃを介して音声再生装置１２に供給している。
【００２２】
また、音声再生装置１２では、デジタルテレビジョン放送受信装置１１からＣＥＣライン１５ｃを介して機器制御信号が供給されると、その機器制御信号が遅延量設定コマンドであるか否かを判別し、遅延量設定コマンドである場合、その［  ］内に記述されている時間を音声信号の遅延量として設定する。
【００２３】
上記したように、デジタルテレビジョン放送受信装置１１が自己の映像信号処理に要する時間を示す情報を、ＣＥＣライン１５ｃを介して伝送される機器制御信号で規定されたコマンドの１つとして音声再生装置１２に伝送することにより、映像表示モードが変更され、映像信号処理に要する時間が変更された場合でも、その変更された時間を音声再生装置１２に伝送することが可能となる。これにより、音声再生装置１２では、その変更された時間に対応して再生音声を遅延させて表示映像に同期させることができるようになり、ユーザにとっての取り扱いを便利にして実用に十分に適するようになる。
【００２４】
図２は、上記光ディスク再生装置１１の信号処理系を概略的に示している。この光ディスク再生装置１１は、例えばＤＶＤ等の光ディスク１７を装着して、そこに記録されているデータを読み取るディスクドライブ部１８を備えている。このディスクドライブ部１８で読み取られたデータは、データプロセッサ部１９を介してデマルチプレクサ部２０に供給される。このデマルチプレクサ部２０は、入力されたデータをそれぞれデジタルの映像信号と音声信号とに分離する。
【００２５】
このうち、デジタルの映像信号は、映像入力バッファ２１を介して映像デコーダ２２に供給されて復号化処理が施される。そして、復号化された映像信号は、Ｄ／Ａ（digital／analog）変換部２３に供給されてアナログの映像信号に変換された後、映像出力端子２４を介して外部に取り出される。
【００２６】
また、上記デマルチプレクサ部２０で分離されたデジタルの音声信号は、音声入力バッファ２５を介して音声デコーダ２６に供給されて復号化処理が施される。そして、復号化された音声信号は、Ｄ／Ａ変換部２７に供給されてアナログの音声信号に変換された後、音声出力端子２８を介して外部に取り出される。
【００２７】
ここで、この光ディスク再生装置１１は、上記した光ディスク１７の再生動作を含むその全ての動作を制御部２９によって統括的に制御されている。この制御部２９は、ＣＰＵ（central processing unit）２９ａを内蔵しており、光ディスク再生装置１１の本体に設置された操作部３０から得られる操作情報、または、リモートコントローラ３１から送出され受光部３２で受信した操作情報を受けて、その操作内容が反映されるように各部をそれぞれ制御している。
【００２８】
この場合、制御部２９は、主として、メモリ部２９ｂを利用している。そのメモリ部２９ｂは、ＣＰＵ２９ａが実行する制御プログラムを格納したＲＯＭ（read only memory）と、該ＣＰＵ２９ａに作業エリアを提供するＲＡＭ（random access memory）と、各種の設定情報及び制御情報等が格納される不揮発性メモリとを有している。
【００２９】
また、この制御部２９は、ネットワークインターフェース３３を介して外部のネットワーク３４に接続されている。このため、制御部２９は、ユーザによる操作部３０やリモートコントローラ３１の操作に基づき、ネットワーク３４上のネットワークサーバ３５にアクセスすることにより、そこで提供している各種のサービスを利用することができるようになっている。
【００３０】
さらに、上記制御部２９は、ＨＤＭＩ送受信部３６に接続されている。このＨＤＭＩ送受信部３６には、コネクタ３６ａを介して上記ＨＤＭＩケーブル１４の一端部が接続されている。そして、制御部２９は、ユーザによる操作部３０やリモートコントローラ３１の操作に基づき、デマルチプレクサ部２０で分離されたデジタルの映像信号及び音声信号を、ＨＤＭＩ送受信部３６に供給する。
【００３１】
すると、ＨＤＭＩ送受信部３６は、入力されたデジタルの映像信号及び音声信号をＨＤＭＩ規格に準拠した形態の信号に変換し、コネクタ３６ａを介して、ＨＤＭＩケーブル１４の映像ライン１４ａ及び音声ライン１４ｂに導出する。これにより、光ディスク再生装置１１で再生されたデジタルの映像信号及び音声信号が、ＨＤＭＩケーブル１４及び１５を介して上記音声再生装置１２及びデジタルテレビジョン放送受信装置１３に伝送されることになる。
【００３２】
また、上記制御部２９は、ユーザによる操作部３０やリモートコントローラ３１の操作に基づき、ＨＤＭＩ規格によって接続されている他の装置（この場合、音声再生装置１２及びデジタルテレビジョン放送受信装置１３）に対する制御信号を生成し、ＨＤＭＩ送受信部３６に供給する。
【００３３】
すると、ＨＤＭＩ送受信部３６は、入力された制御信号をＣＥＣ制御部３６ｂによりＨＤＭＩ規格に準拠した形態の機器制御信号に変換し、コネクタ３６ａを介して、ＨＤＭＩケーブル１４のＣＥＣライン１４ｃに導出する。これにより、光ディスク再生装置１１で生成した機器制御信号が、ＨＤＭＩケーブル１４及び１５を介して上記音声再生装置１２及びデジタルテレビジョン放送受信装置１３に伝送され、これらの装置を制御することができる。
【００３４】
また、逆に、上記音声再生装置１２やデジタルテレビジョン放送受信装置１３から出力され、ＣＥＣライン１４ｃを介してコネクタ３６ａに供給された機器制御信号は、ＣＥＣ制御部３６ｂにより解析され、光ディスク再生装置１１を制御する制御信号の形態に変換されて、制御部２９に供給される。
【００３５】
これにより、制御部２９は、ＣＥＣ制御部３６ｂから供給された制御信号を受けて、その制御内容が反映されるように各部をそれぞれ制御し、ここに、音声再生装置１２やデジタルテレビジョン放送受信装置１３から出力された機器制御信号によって、光ディスク再生装置１１が制御されることになる。
【００３６】
図３は、上記デジタルテレビジョン放送受信装置１３の信号処理系を概略的に示している。すなわち、アンテナ３７で受信したデジタルテレビジョン放送信号は、入力端子３８を介してチューナ部３９に供給されることにより、所望のチャンネルの放送信号が選局される。
【００３７】
そして、このチューナ部３９で選局された放送信号は、復調復号部４０に供給されてデジタルの映像信号及び音声信号等に復元された後、信号処理部４１に出力される。この信号処理部４１は、復調復号部４０から供給されたデジタルの映像信号及び音声信号に対してそれぞれ所定のデジタル信号処理を施している。
【００３８】
この信号処理部４１が行なう所定のデジタル信号処理の一例としては、設定された映像表示モードに応じた各種の映像信号処理、平面視（２次元）表示用の映像信号を立体視（３次元）表示用の映像信号に変換する処理、立体視（３次元）表示用の映像信号を平面視（２次元）表示用の映像信号に変換する処理、４倍速再生処理等が含まれている。
【００３９】
そして、この信号処理部４１は、デジタルの映像信号を合成処理部４２に出力し、デジタルの音声信号を音声処理部４３に出力している。このうち、合成処理部４２は、信号処理部４１から供給されるデジタルの映像信号に、ＯＳＤ（on screen display）信号を重畳して出力している。
【００４０】
この場合、合成処理部４２は、信号処理部４１から供給される映像信号が通常の平面視（２次元）表示用の映像信号であれば、その映像信号にＯＳＤ信号をそのまま重畳して出力している。また、この合成処理部４２は、信号処理部４１から供給される映像信号が立体視（３次元）表示用の映像信号であれば、重畳するＯＳＤ信号に対して、入力された立体視（３次元）表示用の映像信号に対応した立体視（３次元）表示用の信号処理を施した後、そのＯＳＤ信号を入力映像信号に重畳して出力している。
【００４１】
このようにして合成処理部４２から出力されたデジタルの映像信号は、映像処理部４４に供給されて、後段の、例えば液晶表示パネル等を有する平面型の映像表示部４５で表示可能なフォーマットに変換される。そして、この映像処理部４４から出力された映像信号が、映像表示部４５に供給されて映像表示に供される。
【００４２】
また、上記音声処理部４３は、入力されたデジタルの音声信号を、後段のスピーカ４６で再生可能なフォーマットのアナログ音声信号に変換している。そして、この音声処理部４３から出力されたアナログ音声信号が、スピーカ４６に供給されることにより音声再生に供される。
【００４３】
ここで、このデジタルテレビジョン放送受信装置１３は、上記した各種の受信動作を含むその全ての動作を制御部４７によって統括的に制御されている。この制御部４７は、ＣＰＵ４７ａを内蔵しており、デジタルテレビジョン放送受信装置１３の本体に設置された操作部４８から得られる操作情報、または、リモートコントローラ４９から送出され受光部５０で受信した操作情報を受けて、その操作内容が反映されるように各部をそれぞれ制御している。
【００４４】
この場合、制御部４７は、主として、メモリ部４７ｂを利用している。このメモリ部４７ｂは、ＣＰＵ４７ａが実行する制御プログラムを格納したＲＯＭと、該ＣＰＵ４７ａに作業エリアを提供するＲＡＭと、各種の設定情報及び制御情報等が格納される不揮発性メモリとを有している。
【００４５】
また、この制御部４７は、ネットワークインターフェース５１を介して外部のネットワーク５２に接続されている。このため、制御部４７は、ユーザによる操作部４８やリモートコントローラ４９の操作に基づき、ネットワーク５２上のネットワークサーバ５３にアクセスすることにより、そこで提供している各種のサービスを利用することができるようになっている。
【００４６】
さらに、上記制御部４７は、ＨＤＭＩ送受信部５４に接続されている。このＨＤＭＩ送受信部５４には、コネクタ５４ａを介して上記ＨＤＭＩケーブル１５の一端部が接続されている。そして、上記光ディスク再生装置１１で再生されたデジタルの映像信号は、ＨＤＭＩケーブル１４の映像ライン１４ａ、音声再生装置１２、ＨＤＭＩケーブル１５の映像ライン１５ａ及びコネクタ５４ａを介して、デジタルテレビジョン放送受信装置１３のＨＤＭＩ送受信部５４に供給される。
【００４７】
また、光ディスク再生装置１１で再生されたデジタルの音声信号は、ＨＤＭＩケーブル１４の音声ライン１４ｂ、音声再生装置１２、ＨＤＭＩケーブル１５の音声ライン１５ｂ及びコネクタ５４ａを介して、デジタルテレビジョン放送受信装置１３のＨＤＭＩ送受信部５４に供給される。
【００４８】
このＨＤＭＩ送受信部５４は、入力されたデジタルの映像信号及び音声信号をＨＤＭＩ規格に準拠した形態からデコードし、デコード後の映像信号及び音声信号を制御部４１に供給する。すると、制御部４７は、ユーザによる操作部４８やリモートコントローラ４９の操作に基づき、ＨＤＭＩ送受信部５４から供給された映像信号及び音声信号を信号処理部４１に供給することによって、以後、上記した映像表示及び音声再生に供させるように制御する。
【００４９】
これにより、光ディスク再生装置１１で再生されたデジタルの映像信号及び音声信号が、ＨＤＭＩケーブル１４及び１５を介してデジタルテレビジョン放送受信装置１３に伝送され、映像表示及び音声再生に供されることになる。なお、音声再生装置１２で音声を再生する場合には、通常、デジタルテレビジョン放送受信装置１３のスピーカ４６での音声再生はミュートされる。
【００５０】
また、上記制御部４７は、ユーザによる操作部４８やリモートコントローラ４９の操作に基づき、ＨＤＭＩ規格によって接続されている他の装置（この場合、光ディスク再生装置１１及び音声再生装置１２）に対する制御信号を生成し、ＨＤＭＩ送受信部５４に供給する。
【００５１】
すると、ＨＤＭＩ送受信部５４は、入力された制御信号をＣＥＣ制御部５４ｂによりＨＤＭＩ規格に準拠した形態の機器制御信号に変換し、コネクタ５４ａを介して、ＨＤＭＩケーブル１５のＣＥＣライン１５ｃに導出する。これにより、デジタルテレビジョン放送受信装置１３で生成した機器制御信号が、ＨＤＭＩケーブル１４及び１５を介して上記光ディスク再生装置１１及び音声再生装置１２に伝送され、これらの装置を制御することができる。
【００５２】
また、逆に、上記光ディスク再生装置１１や音声再生装置１２から出力され、ＣＥＣライン１５ｃを介してコネクタ５４ａに供給された機器制御信号は、ＣＥＣ制御部５４ｂにより解析され、デジタルテレビジョン放送受信装置１３を制御する制御信号の形態に変換されて、制御部４７に供給される。
【００５３】
これにより、制御部４７は、ＣＥＣ制御部５４ｂから供給された制御信号を受けて、その制御内容が反映されるように各部をそれぞれ制御し、ここに、光ディスク再生装置１１や音声再生装置１２から出力された機器制御信号によって、デジタルテレビジョン放送受信装置１３が制御されることになる。
【００５４】
図４は、上記音声再生装置１２の信号処理系を概略的に示している。この音声再生装置１２は、上記ＨＤＭＩケーブル１４の他端部が接続されるコネクタ５５と、上記ＨＤＭＩケーブル１４の他端部が接続されるコネクタ５６とを備えている。そして、音声再生装置１２の内部において、２つのコネクタ５５及び５６は、ＨＤＭＩケーブル１４の有する各ラインと、それらに対応するＨＤＭＩケーブル１５の有する各ラインとが相互に接続されるようになっている。
【００５５】
すなわち、光ディスク再生装置１１からＨＤＭＩケーブル１４の映像ライン１４ａに出力されたデジタルの映像信号は、音声再生装置１２のコネクタ５５、映像ライン５７ａ及びコネクタ５６を介して、ＨＤＭＩケーブル１５の映像ライン１５ａに伝送され、デジタルテレビジョン放送受信装置１３に供給されることになる。
【００５６】
また、光ディスク再生装置１１からＨＤＭＩケーブル１４の音声ライン１４ｂに出力されたデジタルの音声信号は、音声再生装置１２のコネクタ５５、音声ライン５７ｂ及びコネクタ５６を介して、ＨＤＭＩケーブル１５の音声ライン１５ｂに伝送され、デジタルテレビジョン放送受信装置１３に供給されることになる。
【００５７】
さらに、光ディスク再生装置１１からＨＤＭＩケーブル１４のＣＥＣライン１４ｃに出力された機器制御信号は、音声再生装置１２のコネクタ５５、ＣＥＣライン５７ｃ及びコネクタ５６を介して、ＨＤＭＩケーブル１５のＣＥＣライン１５ｃに伝送され、デジタルテレビジョン放送受信装置１３に供給されることになる。
【００５８】
また、デジタルテレビジョン放送受信装置１３からＨＤＭＩケーブル１５のＣＥＣライン１５ｃに出力された機器制御信号は、音声再生装置１２のコネクタ５６、ＣＥＣライン５７ｃ及びコネクタ５５を介して、ＨＤＭＩケーブル１４のＣＥＣライン１４ｃに伝送され、光ディスク再生装置１１に供給されることになる。
【００５９】
ここで、音声再生装置１２内の音声ライン５７ｂを伝送される音声信号は、音声遅延処理部５８に供給されるようになっている。この音声遅延処理部５８は、制御部５９から供給される遅延量に基づいて、入力された音声信号を遅延し、その遅延後の音声信号をアナログ化して増幅し、一対の音声出力端子６０ａ及び６０ｂを介して、上記スピーカ１６ａ及び１６ｂに出力している。
【００６０】
そして、上記制御部５９には、音声再生装置１２内のＣＥＣライン５７ｃを伝送される機器制御信号が供給されるようになっている。制御部５９に供給された機器制御信号は、ＣＥＣ制御部５９ａにより解析される。このＣＥＣ制御部５９ａは、入力された機器制御信号が上記した遅延量設定コマンドであるか否かを判別し、遅延量設定コマンドである場合、その［  ］内に記述されている時間を取得する。その後、制御部５９が、ＣＥＣ制御部５９ａの取得した時間を音声信号の遅延量として、音声遅延処理部５８に出力する。
【００６１】
図５は、デジタルテレビジョン放送受信装置１３が自己の映像信号処理に要する時間を示す情報を、機器制御信号の形態で音声再生装置１２に出力する処理動作をまとめたフローチャートを示している。すなわち、処理が開始（ステップＳ５ａ）されると、制御部４７は、ステップＳ５ｂで、映像表示モードの切り替えが要求されたか否かを判別し、要求されたと判断された場合（ＹＥＳ）、ステップＳ５ｃで、音声再生装置１２がＣＥＣによる遅延量取得に対応しているか否かを判別する。
【００６２】
そして、音声再生装置１２がＣＥＣによる遅延量取得に対応していると判断された場合（ＹＥＳ）、制御部４７は、ステップＳ５ｄで、要求された映像表示モードでの映像信号処理に要する時間を示す情報を記述した遅延量設定コマンドを、ＣＥＣ制御部５４ｂに生成させてＨＤＭＩケーブル１５のＣＥＣライン１５ｃに送信する。
【００６３】
また、上記ステップＳ５ｃで音声再生装置１２がＣＥＣによる遅延量取得に対応していないと判断された場合（ＮＯ）、制御部４７は、ステップＳ５ｅで、ＥＤＩＤデータを、要求された映像表示モードでの映像信号処理に要する時間を示す情報に変更する。そして、上記ステップＳ５ｄまたはＳ５ｅの後、制御部４７は、ステップＳ５ｆで、要求された映像表示モードへの切り替えを実行し、処理を終了（ステップＳ５ｇ）する。
【００６４】
図６は、音声再生装置１２が、デジタルテレビジョン放送受信装置１３から出力された遅延量設定コマンドを受信して、音声信号の遅延量を設定する処理動作をまとめたフローチャートを示している。すなわち、処理が開始（ステップＳ６ａ）されると、制御部５９は、ステップＳ６ｂで、機器制御信号を受信したか否かを判別する。
【００６５】
そして、受信したと判断された場合（ＹＥＳ）、制御部５９は、ステップＳ６ｃで、受信した機器制御信号が遅延量設定コマンドであるか否かを判別し、遅延量設定コマンドでないと判断された場合（ＮＯ）、処理を終了（ステップＳ６ｅ）する。また、上記ステップＳ６ｃで遅延量設定コマンドであると判断された場合（ＹＥＳ）、制御部５９は、ステップＳ６ｄで、遅延量設定コマンドに記述されている時間を遅延量として音声遅延処理部５８に設定し、処理を終了（ステップＳ６ｅ）する。
【００６６】
上記した実施の形態によれば、デジタルテレビジョン放送受信装置１１が自己の映像信号処理に要する時間を示す情報を、ＥＤＩＤデータを用いることなく、ＣＥＣライン１５ｃを介して伝送される機器制御信号で規定されたコマンドの１つとして音声再生装置１２に伝送するようにしている。
【００６７】
このため、デジタルテレビジョン放送受信装置１１の映像表示モードが変更され、映像信号処理に要する時間が変更された場合でも、その変更された時間を音声再生装置１２に伝送することが可能となる。これにより、音声再生装置１２では、その変更された時間に対応して再生音声を遅延させて表示映像に同期させることができるようになり、ユーザにとっての取り扱いを便利にして実用に十分に適するようになる。
【００６８】
なお、上記した実施の形態では、デジタルテレビジョン放送受信装置１１に用意されている映像表示モードとして「標準モード」、「映画モード」、「ゲームモード」等を述べたが、映像表示モードとしては、これに限らず、例えば表示映像に応じて輝度や色相を自動的に変更する「おまかせモード」や、標準モードよりも色あいを明瞭にする「鮮やかモード」等が用意されても良いものである。
【００６９】
さらに、平面視（２次元）表示用の映像信号を立体視（３次元）表示用の映像信号に変換する「２Ｄ／３Ｄ変換モード」、立体視（３次元）表示用の映像信号を平面視（２次元）表示用の映像信号に変換する「３Ｄ／２Ｄ変換モード」、「４倍速再生モード」等が用意されても良いものである。
【００７０】
要するに、デジタルテレビジョン放送受信装置１３に対して、その映像信号処理に要する時間が変わるような動作モードの変更が行なわれた場合に、変更された動作モードに対応する映像信号処理に要する時間情報が遅延量設定コマンドとしてＣＥＣライン１５ｃを介して出力されれば良いものである。
【００７１】
また、上記した実施の形態では、映像表示モードの変更が要求されたときに、デジタルテレビジョン放送受信装置１３が遅延量設定コマンドを生成して送信することについて説明したが、これに限らず、例えば、音声再生装置１２が所定のタイミングでデジタルテレビジョン放送受信装置１３に対して現在の映像信号処理時間の取得を要求するようにしてもよいものである。
【００７２】
図７は、音声再生装置１２がデジタルテレビジョン放送受信装置１３に対して映像信号処理時間の取得を要求する処理動作をまとめたフローチャートを示している。すなわち、処理が開始（ステップＳ７ａ）されると、制御部５９は、ステップＳ７ｂで、電源がオンされたか否かを判別する。
【００７３】
そして、オンされたと判断された場合（ＹＥＳ）、制御部５９は、ステップＳ７ｃで、デジタルテレビジョン放送受信装置１３に対して、その映像信号処理に要する時間を示す情報の取得要求を、ＣＥＣライン１５ｃを介して送信する。具体的に言えば、音声再生装置１２は、機器制御信号で規定されている〈Vender Command〉として例えば〈Get LipSync time〉なる遅延量要求コマンドを、ＣＥＣライン１５ｃを介してデジタルテレビジョン放送受信装置１３に送信する。
【００７４】
その後、制御部５９は、ステップＳ７ｄで、機器制御信号を受信したか否かを判別し、受信したと判断された場合（ＹＥＳ）、ステップＳ７ｅで、受信した機器制御信号が遅延量設定コマンドであるか否かを判別して、遅延量設定コマンドでないと判断された場合（ＮＯ）、処理を終了（ステップＳ７ｇ）する。また、上記ステップＳ７ｅで遅延量設定コマンドであると判断された場合（ＹＥＳ）、制御部５９は、ステップＳ７ｆで、遅延量設定コマンドに記述されている時間を遅延量として音声遅延処理部５８に設定し、処理を終了（ステップＳ７ｇ）する。
【００７５】
図８は、音声再生装置１２から映像信号処理時間の取得要求を受けたデジタルテレビジョン放送受信装置１３が、音声再生装置１２に映像信号処理時間を送信する処理動作をまとめたフローチャートを示している。すなわち、処理が開始（ステップＳ８ａ）されると、制御部４７は、ステップＳ７ｂで、機器制御信号を受信したか否かを判別する。
【００７６】
機器制御信号を受信したか否かを判別する。
【００７７】
そして、受信したと判断された場合（ＹＥＳ）、制御部４７は、ステップＳ８ｃで、受信した機器制御信号が遅延量要求コマンドであるか否かを判別し、遅延量要求コマンドでないと判断された場合（ＮＯ）、処理を終了（ステップＳ８ｅ）する。また、上記ステップＳ８ｃで遅延量要求コマンドであると判断された場合（ＹＥＳ）、制御部４７は、ステップＳ８ｄで、映像信号処理に要する時間を示す情報を記述した遅延量設定コマンドを生成し、ＣＥＣライン１５ｃを介して音声再生装置１２に送信して、処理を終了（ステップＳ８ｅ）する。
【００７８】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００７９】
１１…光ディスク再生装置、１２…音声再生装置、１３…デジタルテレビジョン放送受信装置、１４…ＨＤＭＩケーブル、１４ａ…映像ライン、１４ｂ…音声ライン、１４ｃ…ＣＥＣライン、１５…ＨＤＭＩケーブル、１５ａ…映像ライン、１５ｂ…音声ライン、１５ｃ…ＣＥＣライン、１６ａ，１６ｂ…スピーカ、１７…光ディスク、１８…ディスクドライブ部、１９…データプロセッサ部、２０…デマルチプレクサ部、２１…映像入力バッファ、２２…映像デコーダ、２３…Ｄ／Ａ変換部、２４…映像出力端子、２５…音声入力バッファ、２６…音声デコーダ、２７…Ｄ／Ａ変換部、２８…音声出力端子、２９…制御部、２９ａ…ＣＰＵ、２９ｂ…メモリ部、３０…操作部、３１…リモートコントローラ、３２…受光部、３３…ネットワークインターフェース、３４…ネットワーク、３５…ネットワークサーバ、３６…ＨＤＭＩ送受信部、３６ａ…コネクタ、３６ｂ…ＣＥＣ制御部、３７…アンテナ、３８…入力端子、３９…チューナ部、４０…復調復号部、４１…信号処理部、４２…合成処理部、４３…音声処理部、４４…映像処理部、４５…映像表示部、４６…スピーカ、４７…制御部、４７ａ…ＣＰＵ、４７ｂ…メモリ部、４８…操作部、４９…リモートコントローラ、５０…受光部、５１…ネットワークインターフェース、５２…ネットワーク、５３…ネットワークサーバ、５４…ＨＤＭＩ送受信部、５４ａ…コネクタ、５４ｂ…ＣＥＣ制御部、５５，５６…コネクタ、５７ａ…映像ライン、５７ｂ…音声ライン、５７ｃ…ＣＥＣライン、５８…音声遅延処理部、５９…制御部、５９ａ…ＣＥＣ制御部、６０ａ，６０ｂ…音声出力端子。
【図１】
0005127992.tif 000002
【図２】
0005127992.tif 000003
【図３】
0005127992.tif 000004
【図４】
0005127992.tif 000005
【図５】
0005127992.tif 000006
【図６】
0005127992.tif 000007
【図７】
0005127992.tif 000008
【図８】
0005127992.tif 000009